【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
外付け機器の接続を検知する接続検知手段と、
通信リストを出力するリスト出力手段と、
前記接続検知手段から出力される検知信号に基づいて前記リスト出力手段にアクセスして前記通信リストを得るリスト取得手段と、
該リスト取得手段で得られた前記通信リストに基づいて通信を開始する通信手段とを有する携帯端末装置と、
該携帯端末装置との間で前記通信を行う相手端末装置とを備えてなると共に、
前記携帯端末装置と前記相手端末装置との間で、前記通信リストに基づいて前記通信を連続して行うことを特徴とする携帯端末通信システム。
【請求項２】
外付け機器の接続を検知する接続検知手段と、
通信リストを出力するリスト出力手段と、
相手端末装置からの通信情報要求信号を受信する受信手段と、
前記検知手段から出力される検知信号及び前記受信手段で受信される前記通信情報要求信号に基づいて前記リスト出力手段にアクセスして前記通信リストを得るリスト取得手段と、
該リスト取得手段で得られた前記通信リストに基づいて通信を開始する通信手段とを有する携帯端末装置と、
前記通信情報要求信号を送信する機能を有し、前記携帯端末装置との間で前記通信を行う前記相手端末装置とを備えてなると共に、
前記携帯端末装置と前記相手端末装置との間で、前記通信リストに基づいて前記通信を連続して行うことを特徴とする携帯端末通信システム。
【請求項３】
前記外付け機器は、前記携帯端末装置へ接続されるＡＣアダプタ又は充電器で、前記接続検知手段は、前記ＡＣアダプタ又は充電器の接続を検知する手段であることを特徴とする請求項１又は２記載の携帯端末通信システム。
【請求項４】
前記通信手段での前記通信は、ＯＢＥＸ通信であることを特徴とする請求項１、２又は３記載の携帯端末通信システム。
【請求項５】
前記ＯＢＥＸ通信は、赤外線通信又はBluetooth通信で行われることを特徴とする請求項４記載の携帯端末通信システム。
【請求項６】
携帯端末装置の接続検知手段で外付け機器の接続を検知すると、
前記接続検知手段から出力された検知信号に基づいてリスト出力手段にアクセスして通信リストを取得し、
取得された前記通信リストに基づいて、前記携帯端末装置へ接続される相手端末装置との間でＯＢＥＸ通信を開始することを特徴とする携帯端末通信方法。
【請求項７】
携帯端末装置の接続検知手段で外付け機器の接続を検知すると、
前記接続検知手段から出力された検知信号に基づいてリスト出力手段にアクセスして通信リストを取得し、
相手端末装置からの通信情報要求信号を受信し、
取得された前記通信リスト及び受信された前記通信情報要求信号に基づいて前記相手端末装置との間でＯＢＥＸ通信を開始することを特徴とする携帯端末通信方法。
【請求項８】
外付け機器の接続を検知する接続検知手段と、
通信リストを出力するリスト出力手段と、
前記接続検知手段から出力される検知信号に基づいて前記リスト出力手段にアクセスして前記通信リストを得るリスト取得手段と、
該リスト取得手段で得られた前記通信リストに基づいて相手端末装置との間で通信を開始する通信手段とを備えることを特徴とする携帯端末装置。
【請求項９】
外付け機器の接続を検知する接続検知手段と、
通信リストを出力するリスト出力手段と、
相手端末装置からの通信情報要求信号を受信する受信手段と、
前記接続検知手段から出力される検知信号及び前記受信手段で受信された前記通信情報要求信号に基づいて前記リスト出力手段にアクセスして前記通信リストを得るリスト取得手段と、
該リスト取得手段で得られた前記通信リストに基づいて前記相手端末装置との間で通信を開始する通信手段とを備えることを特徴とする携帯端末装置。
【請求項１０】
コンピュータを、請求項１乃至５のうちのいずれか一に記載の携帯端末通信システムとして機能させることを特徴とする制御プログラム。
【手続補正２】
【補正対象書類名】明細書
【補正対象項目名】発明の名称
【補正方法】変更
【補正の内容】
【発明の名称】携帯端末通信システム、携帯端末通信方法及び携帯端末装置並びに制御プログラム
【手続補正３】
【補正対象書類名】明細書
【補正対象項目名】０００１
【補正方法】変更
【補正の内容】
【０００１】
この発明は、携帯端末通信システム、携帯端末通信方法及び携帯端末装置並びに制御プログラムに係り、詳しくは、複数種類の情報の連続的な（連鎖的な）通信を可能にする携帯端末通信システム、携帯端末通信方法及び携帯端末装置並びに制御プログラムに関する。
【手続補正４】
【補正対象書類名】明細書
【補正対象項目名】０００７
【補正方法】変更
【補正の内容】
【０００７】
この発明は、上述の事情に鑑みてなされたもので、携帯端末装置が外付け機器の接続を検知すると、通信を開始する携帯端末通信システム、携帯端末通信方法及び携帯端末装置並びに制御プログラムを提供することを目的としている。
【手続補正５】
【補正対象書類名】明細書
【補正対象項目名】０００８
【補正方法】変更
【補正の内容】
【０００８】
上記課題を解決するために、この発明の第１の構成は、携帯端末通信システムに係り、外付け機器の接続を検知する接続検知手段と、通信リストを出力するリスト出力手段と、前記接続検知手段から出力される検知信号に基づいて前記リスト出力手段にアクセスして前記通信リストを得るリスト取得手段と、該リスト取得手段で得られた前記通信リストに基づいて通信を開始する通信手段とを有する携帯端末装置と、該携帯端末装置との間で前記通信を行う相手端末装置とを備えてなると共に、前記携帯端末装置と前記相手端末装置との間で、前記通信リストに基づいて前記通信を連続して行うことを特徴としている。
【手続補正６】
【補正対象書類名】明細書
【補正対象項目名】０００９
【補正方法】変更
【補正の内容】
【０００９】
この発明の第２の構成は、携帯端末通信方法に係り、携帯端末装置の接続検知手段で外付け機器の接続を検知すると、前記接続検知手段から出力された検知信号に基づいてリスト出力手段にアクセスして通信リストを取得し、取得された前記通信リストに基づいて、前記携帯端末装置へ接続される相手端末装置との間でＯＢＥＸ通信を開始することを特徴としている。
【手続補正７】
【補正対象書類名】明細書
【補正対象項目名】００１０
【補正方法】変更
【補正の内容】
【００１０】
この発明の第３の構成は、携帯端末装置に係り、外付け機器の接続を検知する接続検知手段と、通信リストを出力するリスト出力手段と、前記接続検知手段から出力される検知信号に基づいて前記リスト出力手段にアクセスして前記通信リストを得るリスト取得手段と、該リスト取得手段で得られた前記通信リストに基づいて相手端末装置との間で通信を開始する通信手段とを備えることを特徴としている。
【手続補正８】
【補正対象書類名】明細書
【補正対象項目名】００１１
【補正方法】変更
【補正の内容】
【００１１】
この発明によれば、携帯端末装置が外付け機器の接続を検知すると、通信リストを取得し、取得され通信リストに基づいて通信を行うので、複数種類のデータについての連続的な通信を行うことが可能になる。
【手続補正９】
【補正対象書類名】明細書
【補正対象項目名】００１５
【補正方法】変更
【補正の内容】
【００１５】
接続検知機能１２は、ＡＣアダプタ又は充電器１１が携帯端末装置１０に接続されたとき、その接続（通信開始の発生条件）を検知して通信制御機能１４へ検知情報を通知する機能である。
通信制御機能１４は、接続検知機能１２からの検知情報に基づいてＯＢＥＸ通信の実行を通信処理機能１８に対して指示する機能である。この指示でＯＢＥＸ通信の処理が開始される。上記指示は、検知情報を受け取ると、通信リスト管理機能１６を呼び出して通信リスト（データリスト）を取得し、取得した通信リストに基づいてＯＢＥＸ通信を通信処理機能１８に実行させるための指示である。